(57)【特許請求の範囲】
【請求項１】
支持脚により床面の上方に支持され、その四隅の少なくもいづれか１以上の隅部が前記支持脚に固定されるフロアパネルにおいて、該フロアパネルはグレーチンググリルであり、該グレーチンググリルの隅部の枠孔に該枠孔を横断してフロアパネル面に平行に２本の支持梁を設け、該２本の支持梁の間に係止部材を挿通し、該係止部材を前記支持脚に係合させることにより前記フロアパネルを前記支持脚に固定することを特徴とするフロアパネル。
【発明の詳細な説明】
【０００１】
【発明の属する技術分野】
本発明は、フリーアクセスフロアを構成するフロアパネルにおいて、その４隅の少なくも一か所を支持脚に固定するフロアパネルに関するものである。
【０００２】
【従来の技術】
フリーアクセスフロアを構成するフロアパネルは、図８に示すように床面１の上に支持脚４０を固定し、フロアパネル４３の４隅を支持脚４０により支持して構成するものである。この際、例えば図９に示すような台座４７に植設した調整ねじ４６に螺合して上下する調整台４４を有する支持脚４０を用いて、フロアパネル４３の高さを調節すると共に、集中する４個のフロアパネル４３の集中部４３ａを１本の固定ボルト４１とワッシャ４２により支持脚に固定する方法が多く使用される。このようなフロアパネルの４個の隅部を同時に固定する固定方法を有するフロアパネルとしては、上記のほかに、例えば特公平５−４６４１８号公報や、特開平５−７９１７１号公報記載のフロアパネルが開示されている。
【０００３】
【発明が解決しようとする課題】
しかしながら、耐震上大部分のフロアパネルを固定することが望ましいが、例えば、頻繁に床下の点検を必要にするフロア部分など一部のフロアパネルについては固定しないで簡易に外せるようにしておきたい場合がある。このような場合に、前記従来のフロアパネルの固定方法では隅部が当接する４個のフロアパネルが同時に固定され、フロアパネルの一部のみを固定しないようにすることには手間がかかる。また、このようなフロアパネルは、通常ダイキャストやグラビティキャスティングにより作られ、固定される隅部には図９に示すようにボルトで押さえるための座ぐり部などが形成されているものが多い。したがって、一部のフロアパネルのみを固定しない場合に、固定用のフロアパネルと固定しないフリー用のフロアパネルの２種類の隅部の形状の異なるフロアパネルを用意しなければならないことになる。即ち、キャスティング用の金型を２種類用意しなければならないことになり費用がかかるという問題点がある。
【０００４】
そこで本発明は、上記問題点を解決するため、一種類の金型で固定用とフリー用のパネルが共通金型で製作でき、パネルを１枚ごとに単独で簡易に固定できるフロアパネルを提供することを目的とする。
【０００５】
【課題を解決するための手段】
上記目的を達成するために、本発明のフロアパネルは、支持脚により床面の上方に支持され、その四隅の少なくもいづれか１以上の隅部が前記支持脚に固定されるフロアパネルにおいて、該フロアパネルはグレーチンググリルであり、該グレーチンググリルの隅部の枠孔に該枠孔を横断してフロアパネル面に平行に２本の支持梁を設け、該２本の支持梁の間に係止部材を挿通し、該係止部材を前記支持脚に係合させることにより前記フロアパネルを前記支持脚に固定することを特徴とするものである。このように、個々のパネルの隅部に設けた梁と支持脚と固定する係止部材とを設けることにより、任意の個々のパネルを単独で固定できる。
【０００６】
前記支持梁は、フロアパネルのグレーチングの枠孔の両側面にピン孔を設け、該ピン孔に前記枠孔を横断してフロアパネル面に平行に２本のピンを装着して構成してもよい。そして、前記係止部材は、前記２本のピンの間にねじボルトをフロアパネル面に垂直に挿通して、該ねじボルトを前記支持脚に螺締することにより前記フロアパネルを前記支持脚に固定するようにしてもよい。また、前記フロアパネルのグレーチングの隅部の枠孔は、グレーチングでないフロアパネルにおいても、フロアパネルの隅部に表面側から裏面側に貫通する貫通孔を設けることにより、構成することもできる。
【０００７】
【発明の実施の形態】
以下、本発明の実施の１形態を図面により具体的に説明する。図１は本発明のフロアパネルの固定部の概念を示す詳細斜視図、図２はフロアパネルの隅部固定部を上面から見た平面図、図３は図２のＸ−Ｘ断面図、図４は図２のＹ−Ｙ断面図である。
【０００８】
まず図１を用いて本発明のフロアパネルの構造を説明する。フロアパネル１１の隅部には表面側から裏面側に貫通する貫通孔１２が設けられている。この貫通孔１２の相対する両側の側壁面１２ａには、パネル面に平行に配設したそれぞれ２本のピン孔１２ｂ、１２ｂが貫通され、このピン孔１２ｂに２本のピン１３が挿着されている。この平行に間隔をおいて挿着されたピン１３が貫通孔１２を横断して両側壁に固着された２本の梁を構成している。
【０００９】
支持脚２０の調整台２１は、受板２３とその下部に植設された調整軸２２とからなり、後述する床面に固定される台座２６に植設された調整ねじ２７により受板２３が上下調節可能になっている。受板２３はフロアパネル１１の隅部底部を支持するようになっている。受板２３には、係止部を構成するねじ孔２４が設けられている。係止部材を構成する固定ボルト１４は、前記２本のピンの間に挿通され、ねじ部１４ｂを受板２３のねじ孔２４に螺締することにより、その頭部１４ａが２本のピンに係止されてフロアパネル１１を前記支持脚２０に固定するようになっている。受板２３のねじ孔２４は、４隅が当接する４個のフロアパネル１１の隅部の前記２本のピン１３の位置に対応するように受板２３に４か所設けられているので、隅部が当接するフロアパネル１１のうちの１個単独でも２個以上でも任意に固定できる。
【００１０】
【実施例】
図２〜４は、本発明の１実施例についてさらに具体的に説明した図である。図１と同じ部分について同記号を使用する。本実施例においてはフロアパネル１１は多数の枠孔１５を有するグレーチンググリルを使用した。そして、隅部の枠孔１５が前記の貫通孔１２を構成している。枠孔１５の両側壁１５ａの対応する位置にそれぞれ２個のピン孔１５ｂが設けられ、２本のピン１３がピン孔１５ｂに嵌入されて挿着されている。ピン１３は中実の棒材又は中空のパイプでも良いが、図５に示すように軸方向に貫通した割り込み１３ａが入った割管を使用すると管の径方向の弾性により簡易に挿着でき、かつ挿着後にピンが抜け難いので好ましい。
【００１１】
係止部材を構成する頭部１４ａを有する固定ボルト１４は、軸部を２本のピン１３の間に挿通し、ねじ部を支持脚２０の受板２３に設けられたねじ孔２４にねじ込むようになっている。この固定ボルト１４は２本のピン１３の間に挿通した後、図１、３及び４に示すようにプラスチックなどの弾性のあるクリップ座板１６を使用して止めておくと、フロアパネルを取り扱う際にボルト１４がピン１３の間から抜け落ちないので便利である。
【００１２】
支持脚２０は図４に示すように調整台２１と基礎台２５からなる。調整台２１は、前述のように方形の受板２３とその下方中央に溶接などにより植設固定されている中空の調整軸２２からなり、この受板２３がフロアパネル１１の底面を支持するようになっている。基礎台２５は座板２６とその上面に植設された調整ねじ２７からなり、座板２６が床面に固定され、調整ねじ２７には調整ナット２８が螺入されている。前記の受板２３を支持する調整軸２２は、内径が調整ねじ２７の外径とほぼ同じ管状体からなり、その下部が調整ナット２８に当接して前記調整ねじ２７の外径に遊嵌されている。これにより、調整ナット２８を調整ねじ２７に対して回動することにより、前記受板２３が上下して支持脚２０の高さが調整できるようになっている。調整軸２２及び調整ナット２８にはそれぞれ止めねじ２９及び３０が設けられ、調整ナット２８を上下して支持脚２０の高さを調整した後、止めねじ３０を締めて調整ナット２８の回り止めをし、止めねじ２９を締めて調整軸２２の回転を止めるようになっている。
【００１３】
以下、上記構成のフロアパネルの使用方法について説明する。まず、敷設するフロアパネル１１の４隅に相当する相当数の支持脚２０の台座２６を床面に固定する。次に止めねじ２９及び３０を緩めて、調整ナット２８を回し、調整ナット２８が調整軸２を介して受けている受板２３を上下してフロアパネル１１の上面が所定の高さになるように調整する。高さが所定の高さになると、止めねじ３０を締めて調整ナット２８を回り止めをした後、受板２３がフロアパネル１１の所定の隅部を支持する方向に調整軸２２を回し、止めねじ３０を締めて調整軸２２と調整ねじ２７とを固定する。
【００１４】
次に、フロアパネル１１の４隅を支持脚２０の受板２３の上に置き、所用の枚数のフロアパネル１１を敷いてフリーアクセスフロアを構成する。そして、支持脚に固定したいフロアパネルについて、固定ボルト１４を貫通孔１２の上側から２本のピン１３の間に挿通し、そのねじ部を受板２３のねじ孔２４に螺締してフロアパネル１１を支持脚２０に固定する。この際、固定を予定するフロアパネル１１には、あらかじめピン１３の間に固定ボルト１４を挿通し、この固定ボルト１４に図４に示すようにクリップ座板１６を嵌挿しておくと、作業中ボルト１４が抜けないので作業が容易である。
【００１５】
以上述べたように、本発明実施形態のフロアパネルによれば、支持脚により床面の上方に支持されるフロアパネルの隅部近傍に貫通孔を設け、この貫通孔を横断して２本のピンを設けて梁を構成し、この２本のピンの間に係止部材であるボルトを挿通して、このボルトのねじ部を支持脚の調整台のねじ孔に螺締することにより、フロアパネルを支持脚に固定できるので、任意のフロアパネルを１個づつ単独に固定できる。また、これにより、固定するパネルと固定しないフリーパネルを同じ金型で鋳造できるので経済的である。また、フロアパネルが枠孔を有するグレーチンググリルの場合は、隅部の枠孔を前記貫通孔として、この枠孔を横断して２本のピンを挿着して前記梁を構成することにより、従来のフロアパネルをそのまま簡単な加工だけで本発明のフロアパネルにすることができ、簡易に上記本発明の効果が得られる。
【００１６】
上記実施形態においては、貫通孔１２を横断する梁を２本のピンにより構成させたが、その他の方法により梁を構成させることもできる。例えば図６に示すように梁１７をフロアパネル１１と一体に鋳造して構成すること可能である。また、フロアパネルと支持脚の係止部材として、有頭のボルトと受板のねじ孔とで構成したが、他の方法で係止することも可能である。例えば図７に示すように、受板２３に設けた貫通孔２４ａの下部側にスナップリング３３を固着しておき、固定ボルト１４の代わりに先端部近傍にリング溝３１ｂを設けた差込みピン３１を使用し、その頭部３１ａの下部にスプリングワッシャ３２を挿嵌し、この差込みピン３１を２本のピン１３の間を挿通して貫通孔２４ａに挿入し、ピン３１のリング溝３１ｂにスナップリング３３を食い込ませて固定するなどの方法も採用できる。
【００１７】
【発明の効果】
以上説明したように本発明のフロアパネルは、フロアパネルの隅部近傍に設けられた貫通孔に２本の梁を設けて、この梁と支持脚とを係止してフロアパネルを支持脚に固定するので、パネル１枚ごとに単独で簡易に固定できる。また、フロアパネルがグレーチンググリルの場合は、前記貫通孔をグレーチングの隅部の枠孔により構成し、前記梁を２本のピンにより構成し、２本のピンと支持脚に設けたねじ孔とを１本のボルトにより螺締することによりフロアパネルを支持脚に簡単に単独で固定できる。このように既存のフロアパネルを簡単な加工のみで固定用パネルに製作できるので、一種類の金型で固定用とフリー用のパネルが共通して製作でき経済的である。
【図面の簡単な説明】
【図１】本発明の１形態のフロアパネルの固定部の概念を示す斜視図である。
【図２】本発明の１形態のフロアパネルの隅部固定部を上面から見た平面図である。
【図３】図２のＸ−Ｘ断面図である。
【図４】図２のＹ−Ｙ断面図である。
【図５】本発明の１形態のフロアパネルの梁を構成するピンの１例を示す図である。
【図６】本発明の他の実施例のフロアパネルの梁の構成を示す図である。
【図７】本発明の他の実施例のフロアパネルの係止方法を示す図である。
【図８】フリーアクセスフロアを敷設する状態を示す斜視図である。
【図９】従来のフロアパネルを固定する支持脚の１例を示す図である。
【符号の説明】
１  床面
１１  フロアパネル
１２  貫通孔
１３  ピン
１４  固定ボルト
１５  枠孔
１６  クリップ座板
１７  梁
２０  支持脚
２１  調整台
２２  調整軸
２３  受板
２４  ねじ孔
２５  基礎台
２６  座板
２７  調整ねじ
２８  調整ナット
２９  止めねじ
３０  止めねじ
３１  差込みピン
３２  スプリングワッシャ
３３  スナップリング
４０  支持脚
４１  固定ボルト
４２  ワッシャ
４３  フロアパネル
４４  調整台
４６  調整ねじ
４７  座板
【図１】
0003681802.tif 000002
【図２】
0003681802.tif 000003
【図３】
0003681802.tif 000004
【図４】
0003681802.tif 000005
【図５】
0003681802.tif 000006
【図６】
0003681802.tif 000007
【図７】
0003681802.tif 000008
【図８】
0003681802.tif 000009
【図９】
0003681802.tif 000010